(57)【特許請求の範囲】
【請求項１】
吸入口、排出口及びこれらを連通する空気流路を有する装置本体と、前記装置本体の前記空気流路に配設されたファン装置と、前記空気流路に配設された熱交換器と、を具備し、前記ファン装置は前記吸入口より吸入した空気を前記空気流路を通して前記排出口から排出し、前記熱交換器は前記空気流路を通して流れる空気を熱交換によって加熱又は冷却する空気調和装置であって、
前記熱交換器は１個又は複数個の第１の形態の熱交換ユニット及び第２の形態の熱交換ユニットを連結することによって構成され、前記第１及び第２の形態の熱交換ユニットは交換器本体を備え、前記交換器本体は、間隔を置いて配設されたプレート状の一対の端部壁を有し、前記一対の端部壁の間には複数個のヒートパイプが装着され、前記一対の端部壁の少なくとも一方の内部には、熱媒体が流れる媒体流路が形成され、前記熱媒体からの熱が前記複数個のヒートパイプを介して前記空気流路を流れる空気に伝達され、
また前記第１及び第２の形態の熱交換ユニットの前記一対の端部壁の少なくとも一方には、これら熱交換ユニットを横方向に連結するための横連結手段が設けられ、前記横連結手段は、前記第１の形態の熱交換ユニットの前記一対の端部壁の間に設けられ、且つ前記媒体流路に連通された連結供給パイプ及び連結戻りパイプと、前記第１又は第２の形態の熱交換ユニットの前記一対の端部壁の一方の外面に設けられ、且つ前記媒体流路に連通された流入側接続パイプ及び流出側接続パイプと、から構成されており、
前記第１の形態の熱交換ユニットの前記連結供給パイプ及び前記連結戻りパイプにはそれぞれ、前記第１又は第２の形態の熱交換ユニットの前記流入側接続パイプ及び前記流出側接続パイプが連結されることを特徴とする空気調和装置。
【請求項２】
前記第１及び第２の形態の熱交換ユニットの前記一対の端部壁の少なくとも一方には、これら熱交換ユニットを縦方向に連結するための縦連結手段が設けられており、前記縦連結手段は、前記一対の端部壁の少なくとも一方の上面及び下面にそれぞれ前記媒体流路と連通して設けられた一対の接続パイプから構成されていることを特徴とする請求項１記載の空気調和装置。
【発明の詳細な説明】
【０００１】
【発明の属する技術分野】
本発明は、エアコン、浴室暖房乾燥機等の空気調和装置に関する。
【０００２】
【従来の技術】
空気調和装置の一例としての浴室暖房乾燥機は、浴室の天井等に取り付けられる装置本体を備え、この装置本体は、空気を吸引する吸引口と、空気を排出する排出口と、これらを連通する空気流路とを有している。空気流路にはファン装置及び熱交換器が配設されている。ファン装置は、吸引口を通して浴室内の空気を吸引し、吸引した空気を空気流路を通して送給した後に排出口を通して浴室内に排出する。熱交換器は、空気流路を通して流れる空気を熱交換によって加熱し、加熱された空気が排出口を通して排出される。
【０００３】
【発明が解決しようとする課題】
このような浴室暖房乾燥機では、熱交換器として温水パイプを用い、給湯器等の熱源機からの温水が配管を通して熱交換器の温水パイプに送給され、この温水が温水パイプを通して流れる間に、空気流路を流れる空気との間で熱交換が行われ、このようにして空気が熱交換によって加熱される。
【０００４】
しかしながら、熱交換器として温水パイプを利用する場合、この温水パイプの管路断面積を小さくすると流路抵抗が増大して熱交換器の効率が悪くなるため、この管路断面積を小さくすることが難しく、このことに関連して熱交換器が大きくなり、浴室暖房乾燥機自体が大型化する問題がある。また、このように熱交換器が大型化すると、空気流路の流路圧損が大きくなり、充分な風量を確保するためには大型のファン装置を必要とする。このような問題は、エアコン等の他の空気調和装置にも同様に存在する。
本発明の目的は、熱交換器に関連して装置全体の小型化を達成することができる空気調和装置を提供することである。
【０００５】
【課題を解決するための手段】
本発明は、吸入口、排出口及びこれらを連通する空気流路を有する装置本体と、前記装置本体の前記空気流路に配設されたファン装置と、前記空気流路に配設された熱交換器と、を具備し、前記ファン装置は前記吸入口より吸入した空気を前記空気流路を通して前記排出口から排出し、前記熱交換器は前記空気流路を通して流れる空気を熱交換によって加熱又は冷却する空気調和装置であって、
前記熱交換器は１個又は複数個の第１の形態の熱交換ユニット及び第２の形態の熱交換ユニットを連結することによって構成され、前記第１及び第２の形態の熱交換ユニットは交換器本体を備え、前記交換器本体は、間隔を置いて配設されたプレート状の一対の端部壁を有し、前記一対の端部壁の間には複数個のヒートパイプが装着され、前記一対の端部壁の少なくとも一方の内部には、熱媒体が流れる媒体流路が形成され、前記熱媒体からの熱が前記複数個のヒートパイプを介して前記空気流路を流れる空気に伝達され、
また前記第１及び第２の形態の熱交換ユニットの前記一対の端部壁の少なくとも一方には、これら熱交換ユニットを横方向に連結するための横連結手段が設けられ、前記横連結手段は、前記第１の形態の熱交換ユニットの前記一対の端部壁の間に設けられ、且つ前記媒体流路に連通された連結供給パイプ及び連結戻りパイプと、前記第１又は第２の形態の熱交換ユニットの前記一対の端部壁の一方の外面に設けられ、且つ前記媒体流路に連通された流入側接続パイプ及び流出側接続パイプと、から構成されており、
前記第１の形態の熱交換ユニットの前記連結供給パイプ及び前記連結戻りパイプにはそれぞれ、前記第１又は第２の形態の熱交換ユニットの前記流入側接続パイプ及び前記流出側接続パイプが連結されることを特徴とする。
【０００６】
本発明に従えば、第１及び第２の形態の熱交換ユニットの交換器本体は、間隔を置いて配設されたプレート状の一対の端部壁を有し、一対の端部壁の間には複数個のヒートパイプが装着され、一対の端部壁の少なくとも一方の内部には、熱媒体が流れる媒体流路が形成されている。従って、温水、冷水等の熱媒体は交換器本体を通して循環され、交換器本体を通して流れる際に熱媒体からの熱が複数本のヒートパイプに伝達され、ヒートパイプからの熱が空気流路を流れる空気に伝達され、加熱又は冷却された空気が排出口から排出される。ヒートパイプは外径が細いものであっても熱伝達の効率が高く、このようなヒートパイプを用いることによって熱交換器を小型化して装置全体を小型化することができる。また、熱源からの熱媒体は交換器本体を通して循環するので、この熱媒体の流路抵抗が大きくならず、熱媒体の循環効率を高めることができる。また、熱交換器は１個又は複数個の第１の形態の熱交換ユニット及び第２の形態の熱交換ユニットを連結することによって構成されるので、連結するユニット数を変えることによって熱交換器の熱交換容量を変えることができる。また、第１及び第２の形態の熱交換ユニットの端部壁の少なくとも一方には横連結手段が設けられているので、熱交換ユニットを横方向に連結することができる。
【０００９】
また、本発明では、前記第１及び第２の形態の熱交換ユニットの前記一対の端部壁の少なくとも一方には、これら熱交換ユニットを縦方向に連結するための縦連結手段が設けられており、前記縦連結手段は、前記一対の端部壁の少なくとも一方の上面及び下面にそれぞれ前記媒体流路と連通して設けられた一対の接続パイプから構成されていることを特徴とする。
本発明に従えば、第１及び第２の形態の熱交換ユニットの端部壁の少なくとも一方には縦連結手段が設けられているので、熱交換ユニットを縦方向に連結することができる。
【００１０】
【発明の実施の形態】
以下、添付図面を参照して、本発明に従う空気調和装置の実施形態について説明する。図１は、本発明に従う空気調和装置の一例としての浴室暖房乾燥機の一実施形態を簡略的に示す断面図であり、図２は、図１の浴室暖房乾燥機の第１の形態の熱交換ユニットを示す斜視図であり、図３は、図２の熱交換ユニットを簡略的に示す断面図であり、図４は、第２の形態の熱交換ユニットを簡略的に示す断面図であり、図５は、熱交換ユニットを横方向に連結した状態を簡略的に示す断面図であり、図６は、熱交換ユニットを縦方向に連結した状態を簡略的に示す断面図であり、図７は、図３におけるＶＩＩ−ＶＩＩ線による断面図である。
【００１１】
図１において、空気調和装置の一例としての図示の浴室暖房乾燥機は、装置本体２を備えており、装置本体２は浴室４の天井６の裏側に取り付けられる。装置本体２の下面にはグリル板８が装着され、グリル板８は浴室４の天井面に露出している。グリル板８には、浴室４内の空気を吸入する吸入口１０と、空気を浴室４内に排出する排出口１２とが設けられている。尚、浴室４には入浴するための浴槽１４が設置されている。
【００１２】
装置本体２内には空気流路１６が設けられ、この空気流路１６は吸入口１０と排出口１２とを連通している。空気流路１６には、ファン装置１８及び熱交換器２０が配設されている。この形態では、ファン装置１８は吸引口１０の内側に配設され、空気を送風するための循環ファン２２と、この循環ファン２２を矢印２４で示す所定方向に回動するための電動モータ（図示せず）とを備えている。循環ファン２２が矢印２４で示す方向に回動すると、浴室４内の空気が吸入口１０を通して装置本体２内に吸入され、かく吸入された空気は空気流路１６を通して流れて排出口１２から浴室４内に排出される。
【００１３】
熱交換器２０は排出口１２の内側に配設されている。この熱交換器２０は、２個の熱交換ユニット２５，２６、即ち連結ユニットを構成する第１の形態の熱交換ユニット２５と、基本ユニットを構成する第２の形態の熱交換ユニット２６とから構成される。熱交換ユニット２５，２６については、後に詳述する。
【００１４】
熱交換器２０には供給側配管３０及び戻り側配管３２が接続され、これら配管３０，３２は給湯器の如き温熱源機（図示せず）に接続されている。また、供給側配管３０には熱動弁３４が配設されている。従って、熱動弁３４が開状態になると、この温熱源機（図示せず）からの熱媒体としての温水が供給側配管３０を通して熱交換器２０に供給され、かく供給された温水は熱交換器２０にて空気流路１６を流れる空気と熱交換され、その後戻り側配管３２を通して温熱源機に戻り、このようにして温熱源機からの温水が熱交換器２０を通して循環される。
【００１５】
浴室暖房乾燥機は、更に、換気ファン装置３６を備えている。装置本体２内には、空気流路１６から分岐して排気流路３８が設けられ、この排気流路３８の下流側に排気ダクト４０が接続され、この排気ダクト４０が屋外に延びている。換気ファン装置３６は、排気流路３８に配設された換気ファン４２と、換気ファン４２を所定方向に回転するための電動モータ（図示せず）とを備え、換気ファン４２が回動することによって、浴室４内の空気が吸入口１０、空気流路１６の一部、排気流路３８及び排気ダクト４０を通して屋外に排出され、これによって浴室４内の湿気を取り除くことができる。
【００１６】
次に、図２及び図３を参照して、第１の形態の熱交換ユニット（連結ユニット）２５について説明する。この熱交換ユニット２５は交換器本体２７を備え、交換器本体２７は、間隔を置いて配設された温水プレート５２及びパイプ固定プレート５４（これらが熱交換ユニット２５の端部壁を構成する）を有し、これら温水プレート５２とパイプ固定プレート５４との間に複数本、例えば１０〜２０本程度、この実施形態では１５本のヒートパイプ５６が装着されている。温水プレート５２の外面には流入側接続パイプ５８と流出側接続パイプ６０とが設けられ、またその上面及び下面には、熱交換ユニット２５を上下方向に接続するときに利用する接続パイプ６２，６４がそれぞれ設けられている。この温水プレート５２の内部には、流入側接続パイプ５８に連通する供給流路６６と、流出側接続パイプ６０に連通する流出流路６８が設けられ、この実施形態では、供給流路６６と流出流路６８とが３本の分岐流路７０を介して接続されており、これら供給流路６６、流出流路６８及び分岐流路７０が熱媒体が流れる媒体流路を構成する。複数本のヒートパイプ５６は、これら分岐流路７０に対応して温水プレート５２の幅方向（図７において左右方向）に３列に配設され、各ヒートパイプ５６の一端部は対応する分岐流路７０内に挿入されて温水プレート５２に固定されている。各ヒートパイプ５６の他端部はパイプ固定プレート５４に挿入固定されている。また、供給流路６６と接続パイプ６２とは接続流路７２を介して連通され、流出流路６８と接続パイプ６４とは接続流路７４を介して連通されている。
【００１７】
この熱交換ユニット２５では、更に、供給流路６６には連結供給パイプ７６の一端部が接続され、その他端部はパイプ固定プレート５４を貫通して外側に幾分突出している。また、流出流路６８には連結戻りパイプ７８の一端部が接続され、その他端部はパイプ固定プレート５４を貫通して外側に幾分突出している。この熱交換ユニット２５に図４の熱交換ユニット（基本ユニット）２６を横方向に連結して使用する（図１に示すように連結して使用する）ときには、図２及び図３から容易に理解される通り、流入側接続パイプ５８が供給側配管３０に接続され、流出側接続パイプ６０が戻り側配管３２に接続される。また、接続パイプ６２，６４は使用しないので、密封キャップ等の閉塞部材８０，８２によって閉塞される。
【００１８】
第１の形態の熱交換ユニット２５は上述したように構成されているので、供給側配管３０を通して流入側接続パイプ５８から熱媒体としての温水が供給されると、供給された温水の一部は分岐流路７０を通して流出流路６８に流れ、この温水の残部は連結供給パイプ７６を通して更に下流側に流れる。そして、流出流路６８に流れた温水は流出側接続パイプ６０を通して戻り側配管３２に流れる。
【００１９】
次に、図４を参照して、第２の形態の熱交換ユニット（基本ユニット）２６について説明すると、図示の熱交換ユニット２６は、上述した第１の形態の熱交換ユニット２５から連結供給パイプ７６及び連結戻りパイプ７８を除いたものと同様の構成であり、交換器本体２９を備え、この交換器本体２９は間隔を置いて配設された温水プレート８６及びパイプ固定プレート８８（これらが熱交換ユニット２６の端部壁を構成する）を有し、温水プレート８６とパイプ固定プレート８８との間に複数本、例えば１０〜２０本程度、この実施形態では１５本のヒートパイプ５６が装着されている。温水プレート８６の外面には流入側接続パイプ９０と流出側接続パイプ９２とが設けられ、またその上面及び下面には、熱交換ユニット２６を縦方向（上下方向）に接続するときに利用する接続パイプ９４，９６がそれぞれ設けられている。温水プレート８６の内部には、第１の形態の熱交換ユニット２５と同様に、流入側接続パイプ９０に連通する供給流路９８と、流出側接続パイプ９２に連通する流出流路１００が設けられ、供給流路９８と流出流路１００とが３本の分岐流路１０２を介して接続されており、これら供給流路９８、流出流路１００及び分岐流路１０２が熱媒体が流れる媒体流路を構成する。複数本のヒートパイプ５６は、これら分岐流路１０２に対応して３列に配設され、各ヒートパイプ５６の一端部は対応する分岐流路１０２内に挿入され、各ヒートパイプ５６の他端部はパイプ固定プレート８８に固定されている。また、供給流路９８は接続パイプ９４に連通され、流出流路１００は接続パイプ９６に連通されている。
【００２０】
この熱交換ユニット（基本ユニット）２６に図３の熱交換ユニット（連結ユニット）２５を横方向に連結して使用する（図１に示すように連結して使用する）ときには、図４に示すとおり、流入側接続パイプ９０が熱交換ユニット２５の連結供給パイプ７６に接続され、流出側接続パイプ９２が熱交換ユニット２５の連結戻りパイプ７８に接続される。また、接続パイプ９４，９６は使用しないので、密封キャップ等の閉塞部材１０４，１０６によって閉塞される。
【００２１】
第２の形態の熱交換ユニット２６は上述したように構成されているので、連結供給パイプ７６から流入側接続パイプ９０を通して熱媒体としての温水が供給されると、供給された温水は分岐流路１０２を通して流出流路１００に流れる。そして、流出流路６８に流れた温水は流出側接続パイプ６０を通して連結戻りパイプ７８に流出する。
【００２２】
ここでヒートパイプ５６について説明すると、ヒートパイプ５６は、例えばステンレス鋼から形成されたパイプ本体内に、熱伝達媒体として例えば水を充填し、パイプ本体内の真空度を高めたそれ自体公知のものから構成され、パイプ本体の外径は例えば３〜５ｍｍ程度に設定される。このような小径のヒートパイプ５６を用いることによって、熱交換機２０を小さくして、浴室暖房乾燥機の小型化を図ることができる。
【００２３】
第１及び第２の形態の熱交換ユニット２５，２６を横方向に相互に連結することによって、図１に示す熱交換器２０となる。このとき、上述したように、熱交換ユニット２６の流入側接続パイプ９０が熱交換ユニット２５の連結供給パイプ７６に挿入連結されるとともに、熱交換ユニット２６の流出側接続パイプ９２が熱交換ユニット２５の連結戻りパイプ７８に挿入連結される。
【００２４】
この熱交換器２０では、供給側配管３０を通して温水が熱交換ユニット２５の供給流路６６に供給されると、この温水の一部は分岐流路７０を通して流出流路６８に流れ、この分岐流路７０を通して流れる間に温水からの熱がヒートパイプ５６に伝達され、これらヒートパイプ５６と空気流路１６を流れる空気との間で熱交換が行われる。また、この温水の残部は連結供給パイプ７６を通して熱交換ユニット２６の供給流路９８に供給され、かく供給された温水が分岐流路１０２を通して流出流路１００に流れ、分岐流路１０２をかく流れる間に温水からの熱がヒートパイプ５６に伝達され、この熱交換ユニット２６においてもヒートパイプ５６と空気流路１６を流れる空気との間で熱交換が行われる。流出流路１００に流れた温水は連結戻りパイプ７８を通して熱交換ユニット２５の流出流路６８に流れ、分岐流路７０を流れる温水とともに流出側接続パイプ６０を通して戻り側配管３２に流れ、このようにして熱源機（図示せず）からの温水が熱交換ユニット２５，２６を通して循環される。
【００２５】
図１に示す熱交換器２０では、熱交換ユニットを横方向に２個連結しているが、熱交換ユニットを横方向に３個以上連結するようにしてもよい。かかる場合、１個の第２の形態の熱交換ユニット（基本ユニット）２６と残りの第１の形態の熱交換ユニット（連結ユニット）２５を用いて連結するようになる。例えば、熱交換ユニットを横方向に３個連結する場合、図５に示すように、第１の形態の熱交換ユニット（連結ユニット）２５を２個、また第２の形態の熱交換ユニット（基本ユニット）２６を１個用い、一つ目の熱交換ユニット２５の連結供給パイプ７６に二つ目の熱交換ユニット２５の流入側接続パイプ５８を挿入するとともに、その連結戻りパイプ７８に二つ目の熱交換ユニット２５の流出側接続パイプ６０を挿入する。また、二つ目の熱交換ユニット２５の連結供給パイプ７６に残りの熱交換ユニット２６の流入側接続パイプ９０を挿入するとともに、その連結戻りパイプ７８に残りの熱交換ユニット２６の流出側接続パイプ９２を挿入する。このように連結されるので、熱交換ユニット２５の連結供給パイプ７６及び連結戻りパイプ７８と、これらに連結される熱交換ユニット２６（２５）の流入側接続パイプ９０（５８）及び流出側接続パイプ９２（６０）は、横方向に連結するための横連結手段を構成する。そして、一つ目の熱交換ユニット２５の流入側接続パイプ５８が供給側配管３０に接続され、その流出側接続パイプ６０が戻り側配管３２に接続される。このようにして熱交換ユニット２５，２６を横方向に連結することができ、熱交換ユニット２５，２６の連結数を変えることによって、浴室暖房乾燥機の熱容量等を変えることができる。尚、このように横方向に連結するとき、熱交換ユニット２５，２６の接続パイプ６２，６４，９４，９６は、閉塞部材８０，８２，１０４，１０６によって閉塞される。
【００２６】
このような熱交換ユニット２５（２６）は、縦方向に２個以上連結することもできる。この場合、同一形態（第１の形態又は第２の形態）の熱交換ユニット２５（２６）を複数用いて連結するようになる。例えば、熱交換ユニットを縦方向に２個連結する場合、図６に示すように、例えば第１の形態の熱交換ユニット（連結ユニット）２５を２個用い、上側の熱交換ユニット２５の接続パイプ６４を下側の熱交換ユニット２５の接続パイプ６２に挿入すればよく、熱交換ユニット２５の接続パイプ６２，６４（第２の形態の熱交換ユニット２６にあっては接続パイプ９４，９６）が縦方向に連結するための縦連結手段を構成する。尚、この縦連結手段は、パイプ固定プレート５４（８８）側にも設けるようにしてもよい。そして、上側の熱交換ユニット２５の流入側接続パイプ５８が供給側配管３０に接続され、下側の熱交換ユニット２５の流出側接続パイプ６０が戻り側配管３２に接続される。このようにして熱交換ユニット２５を縦方向に連結することができ、上側の熱交換ユニット２６の流入側接続パイプ５８を通して流入した温水は、その温水プレート５２の分岐流路７０を通り、更に上側の熱交換ユニット２５の接続パイプ６４から下側の熱交換ユニット２５の接続パイプ６２を通り、その分岐流路７０を通って下側の熱交換ユニット２５の流出側接続パイプ６０から流出される。このように熱交換ユニット２５，２６の縦方向の連結数を変えることによっても浴室暖房乾燥機の熱容量等を変えることができる。尚、図６に示すように縦方向に連結するとき、上側の熱交換ユニット２５にあっては、接続パイプ６２が閉塞部材８０によって、また流出側接続パイプ６０、連結供給パイプ７６及び連結戻りパイプ７８が閉塞部材１１２，１１４，１１６によって閉塞される。また、下側の熱交換ユニット２５にあっては、上述と同様にして、接続パイプ６４が閉塞部材８２によって、また流入側接続パイプ５８、連結供給パイプ７６及び連結戻りパイプ７８が閉塞部材１１８，１１４，１１６によって閉塞される。
【００２７】
上述した実施形態では、熱交換ユニット２５，２６を横方向に連結したものと、これらを縦方向に連結したものとを図面に示して説明したが、上述した記載から容易に理解される通り、これらを横方向及び縦方向に連結することもできる。
【００２８】
以上、本発明に従う温度調和装置の一例としての浴室暖房乾燥機の一実施形態について説明したが、本発明はかかる実施形態に限定されるものではなく、本発明の範囲を逸脱することなく種々の変形乃至修正が可能である。
【００２９】
例えば、図示の実施形態では、ヒートパイプ５６を３列に配置しているが、熱交換ユニット２５，２６の幅を小さくするときには１列又は２列に配置するようにしてもよく、またその幅を大きくするときには４列以上配置するようにしてもよい。
【００３０】
また、例えば、図示の実施形態では、熱交換ユニット２５，２６の一方の端部壁を温水プレート５２，８６から構成してヒートパイプ５６を一端側から熱媒体からの熱を伝達しているが、これに代えて、双方の端部壁を温水プレート５２，８６から構成してヒートパイプ５６の両端側から熱媒体からの熱を伝達するようにすることもできる。
【００３１】
また、例えば、図示の実施形態では特に設けていないが、ヒートパイプ５６からの放熱効果を高めるために、例えばアルミニウム等から形成したフィンを複数設けるようにしてもよい。
【００３２】
更に、図示の実施形態では浴室暖房乾燥機に適用して説明したが、これに限定されるエアコン等の空気調和装置にも適用することができる。この場合、室内を暖房するときには、熱交換器２０は温熱源機（図示せず）に接続され、温熱源機からの温熱媒体が熱交換器２０に供給されるが、室内を冷房するときには、熱交換器２０は冷熱源機（図示せず）に接続され、冷熱源機からの冷熱媒体が熱交換器２０に供給される。
【００３３】
【発明の効果】
本発明の請求項１の空気調和装置によれば、熱交換器が複数個のヒートパイプを備えているので、熱媒体からヒートパイプに伝達された熱が空気流路を流れる空気との間で熱交換される。また、ヒートパイプを用いることによって熱交換器を小型化して装置全体を小型化することができる。また、熱交換器は１個又は複数個の第１の形態の熱交換ユニット及び第２の形態の熱交換ユニットを連結することによって構成されるので、連結するユニット数を変えることによって熱交換器の熱交換容量を変えることができる。また、第１及び第２の形態の熱交換ユニットには横連結手段が設けられているので、熱交換ユニットを横方向に連結することができる。
【００３５】
また、本発明の請求項２の空気調和装置によれば、第１及び第２の形態の熱交換ユニットには縦連結手段が設けられているので、熱交換ユニットを縦方向に連結することができる。
【図面の簡単な説明】
【図１】本発明に従う空気調和装置の一例としての浴室暖房乾燥機の一実施形態を簡略的に示す断面図である。
【図２】図１の浴室暖房乾燥機の第１の形態の熱交換ユニットを示す斜視図である。
【図３】図２の熱交換ユニットを簡略的に示す断面図である。
【図４】第２の形態の熱交換ユニットを簡略的に示す断面図である。
【図５】熱交換ユニットを横方向に連結した状態を簡略的に示す断面図である。
【図６】熱交換ユニットを縦方向に連結した状態を簡略的に示す断面図である。
【図７】図３におけるＶＩＩ−ＶＩＩ線による断面図である。
【符号の説明】
２  装置本体
４  浴室
１０  吸入口
１２  排出口
１６  空気流路
１８  ファン装置
２０  熱交換器
２５，２６  熱交換ユニット
２７，２９  交換器本体
３０  供給側配管
３２  戻り側配管
５２，８６  温水プレート
５４，８８  パイプ固定プレート
５６  ヒートパイプ
７６  連結供給パイプ
７８  連結戻りパイプ
【図１】
0003897213.tif 000002
【図２】
0003897213.tif 000003
【図３】
0003897213.tif 000004
【図４】
0003897213.tif 000005
【図５】
0003897213.tif 000006
【図６】
0003897213.tif 000007
【図７】
0003897213.tif 000008